(57)【要約】【課題】調理室内の状態を電子レンジの外部から容易に確認可能であり、グリル調理のためのヒーターを調理室の底面に設置可能な電子レンジを提供すること。【解決手段】調理室の底面は、調理室の内部に配置される後面部と、調理室から前方に曲面状に突出した前面部とからなる。底面板の下部にはヒーターと断熱部材が配置される。底面板上には、ターンテーブルを収容するための凹部が設けられ、この凹部の中心は前面部と後面部の境界地点に位置するので、調理物は調理室の前面部に置かれる。ドアは、フレームと、フレームから前方に突出した透視部材とからなる。透視部材は、前方に曲面状に突出した前面板と、前面板の上部及び下部を覆う略半円形の上面板及び下面板とからなる。ドアが調理室を閉鎖すると、透視部材の下面板は底面板の前面部の下部に配置されるので、透視部材の内部空間が調理室の内部空間とともに調理空間を形成する。【選択図】　　　　図２
2004077107.tif 000002
【特許請求の範囲】
【請求項１】
調理物を調理する加熱部と、
開口部と前方に突出する底面板を有する調理室と、
前記調理室の開口部を選択的に開閉し、前方に突出して前記調理室の突出底面板とともに、前記調理室から延長される調理空間を形成するドアとを含むことを特徴とする電子レンジ。
【請求項２】
前記ドアは、前記調理室の開口部の縁部と接触するように構成されるフレームと、前記調理室の開口部を塞ぐ透視部材とを含み、
前記透視部材は、前記調理室から前方に突出する前面板と、前記調理室の前方に形成された内部空間の上面と底面を覆うように構成される上面板及び下面板とを含み、
前記調理室の底面板は、前記調理室の前方に位置する前面部と、前記調理室内に位置する後面部とを含むことを特徴とする請求項１記載の電子レンジ。
【請求項３】
前記調理室の底面板の前面部は半円形に形成されることを特徴とする請求項２記載の電子レンジ。
【請求項４】
前記調理室の底面板の前面部は半円形に形成され、前記調理室の底面板の後面部は半円形又は長方形に形成されることを特徴とする請求項２記載の電子レンジ。
【請求項５】
前記調理室の底面板は前記調理室と一体的に形成されて前記調理室の底面を形成することを特徴とする請求項３記載の電子レンジ。
【請求項６】
前記調理室の底面板は別の部材として作られ前記調理室の底面に付着されることを特徴とする請求項３記載の電子レンジ。
【請求項７】
前記調理室の底面板は、前記調理室の底面板を前記調理室の底面に付着するため、前記調理室の底面板の下面の対応面に設けられた、ネジ孔が形成された多数のボスを含むことを特徴とする請求項６記載の電子レンジ。
【請求項８】
前記調理室の底面板はアルミニウムから作られることを特徴とする請求項６記載の電子レンジ。
【請求項９】
前記電子レンジは、調理物が載せられるターンテーブルと、前記ターンテーブルを回転させるため、前記ターンテーブルに連結される回転軸とをさらに含み、
前記調理室の底面板は、前記ターンテーブルを収容するため、下方に凹んでいる凹部を含み、前記凹部には、前記回転軸を前記ターンテーブルに連結するための貫通孔が設けられることを特徴とする請求項２記載の電子レンジ。
【請求項１０】
前記ターンテーブルは、前記貫通孔が前記調理室の底面板の前面部と後面部間の境界線に位置するように、前記調理室の底面板の前面部に一部が位置することを特徴とする請求項９記載の電子レンジ。
【請求項１１】
前記透視部材の前面板は前記調理室の底面板の前面部の形態に対応するように半円筒形に形成され、前記透視部材の上面板と下面板は、ドアが閉鎖されたとき、前記調理室の底面板の前面部が前記透視部材の下面板上に位置するように、前記調理室の底面板の前面部の形態に対応する半円形の形態に形成されることを特徴とする請求項３記載の電子レンジ。
【請求項１２】
前記透視部材の上面板及び下面板は、少なくとも前記電子レンジの前方、両側方及び上方の位置から調理室の内部が透視できるように多数の透視孔を含むことを特徴とする請求項１１記載の電子レンジ。
【請求項１３】
前記透視孔は、前記調理室の内部が効果的に透視できるように、前記透視部材の全面にわたって形成されることを特徴とする請求項１２記載の電子レンジ。
【請求項１４】
前記フレームは前記調理室の開口部を遮らない大きさに構成されることを特徴とする請求項２記載の電子レンジ。
【請求項１５】
前記加熱部は前記調理室の底面板の下部に配置されるヒーターを含むことを特徴とする請求項６記載の電子レンジ。
【請求項１６】
前記電子レンジは、前記ヒーターの下部に配置され、前記ヒーターから発生した熱を上方に伝達する断熱部材をさらに含むことを特徴とする請求項１５記載の電子レンジ。
【請求項１７】
前記ヒーターは前記断熱部材の上面に付着され、前記調理室の底面板と接触することを特徴とする請求項１６記載の電子レンジ。
【請求項１８】
前記加熱部は前記調理室の底面板に一体的に形成されたヒーターを含むことを特徴とする請求項６記載の電子レンジ。
【請求項１９】
前記ヒーターはダイカスト加工により前記調理室の底面板に一体的に形成されることを特徴とする請求項１８記載の電子レンジ。
【請求項２０】
前記加熱部は調理物を調理するための高周波を発生するマグネトロンを含むことを特徴とする請求項１記載の電子レンジ。
【請求項２１】
前記加熱部は調理物を調理するための高周波を発生するマグネトロンをさらに含み、前記ヒーターは調理物を調理するための熱を発生することを特徴とする請求項１５記載の電子レンジ。
【発明の詳細な説明】
【０００１】
【発明の属する技術分野】
本発明は電子レンジに関し、より詳しくはドアを外向に突出した半円筒形に構成し、底面板をドアの形状に対応して調理室の前方に突設することにより、多数位置で調理室の内部が透視できるようにするとともに、調理室に対し調理物を容易に収納するか、取り出すことができるようにした電子レンジに関するものである。
【０００２】
【従来の技術】
一般に、電子レンジは電装室に設置されたマグネトロンから発生される高周波を用いて、調理室内に置かれた調理物を調理するか暖める器具であって、高周波を調理室の内部に放射して、調理物に含有された水分の分子配列を反復的に変換させることで、飲食物の水分分子間の摩擦熱を起こして調理物を調理することになる。
【０００３】
図１は、ドア８が開放された状態の従来の電子レンジの斜視図である。同図に示すように、従来の電子レンジは、ハウジング１と、前記ハウジング１の内部に区画されて設けられた電装室２及び調理室３とを有する。電装室２には、高周波を発生させるためのマグネトロン４と、前記マグネトロン４を冷却させるとともに、調理室を通じて空気を循環させることで、調理物から発生する水分及び匂いを外部へ排出させるための送風ファン５とが設けられる。
【０００４】
調理室３は前面の開放された箱状に形成され、底面３ａが長方形をなし、底面３ａの先端部は調理室３の前面と同一平面をなす。前記底面３ａ上には、調理物が載せられ、マグネトロン４から放射される高周波により調理物が調理されるようにするターンテーブル６と、前記ターンテーブル６を回転可能に支持するための回転ガイド（図示せず）が設けられている。前記ターンテーブル６は調理室３の下部に配置されたモータ（図示せず）に結合され、低速で回転する。
【０００５】
また、開放された調理室３の前面には、ハウジング１の一側に回動可能に結合され、調理室３を開閉するドア８が設けられている。前記ドア８は長方形に形成され、中央部には調理室３の内部が透視できるように多数の透視孔が形成された透視部材９が結合されている。この透視部材９を含むドア８はその前面及び背面共に平面となり、ドア８が閉鎖された状態でドア８の背面が調理室３の前面に接触し、ドア８の前面は平面をなして調理室３を閉鎖する。
【０００６】
したがって、電子レンジが作動すると、マグネトロン４から発生する高周波が調理室３に放射されているうちにターンテーブル６が低速で回転するので、ターンテーブル６上に載せられた調理物が高周波により調理される。
しかし、このように構成された従来の電子レンジは六面体の形状をなし、その中央部に調理室の内部が透視できるように形成された透視部材９がドア８とともに平面をなす構造を有するため、調理の途中で、調理室３に収納された調理物の調理状態を確認するためには、使用者がドア８の前方から透視部材９の高さに合わせて調理室３の内部を覗き見なければならない欠点がある。
【０００７】
また、従来の電子レンジは、調理室３の底面３ａが長方形となり、その先端部が調理室の前面と一致して同一平面をなす構造を有するため、調理物が調理室の内部奥に位置するため、調理物を調理室３の内部に入れるか又は取り出すことが非常に難しくなる。
また、従来の電子レンジは、調理室３の底面３ａが調理室と一体に構成されるため、グリル調理のためのヒーターを設置することがややこしくて難しくなる欠点がある。すなわち、グリル調理のためのヒーターを調理室３の底面３ａの上部又は下部に設置するためには、別途のヒーター設置構造が必要になる。しかし、従来の電子レンジの底面３ａは調理室３と一体的に形成されるため、調理室の内部構図が複雑になり、設置作業が非常に難しくなる。
【０００８】
【発明が解決しようとする課題】
したがって、本発明は前述した従来技術の問題点を解決するためのもので、その目的は、調理室で調理される調理物の調理状態を電子レンジの外部の多数位置で容易で迅速に確認できるようにした電子レンジを提供することにある。
本発明のほかの目的は、調理物が調理室に容易に収納できるようにした電子レンジを提供することにある。
本発明のさらにほかの目的は、グリル調理のためのヒーターが調理室の底面に容易に設置できるようにした電子レンジを提供することにある。
【０００９】
【課題を解決するための手段】
前記目的を達成するため、本発明は、調理物を調理する加熱部と、開口部と前方に突出する底面板を有する調理室と、前記調理室の開口部を選択的に開閉し、前方に突出して前記調理室の突出底面板とともに、前記調理室から延長される調理空間を形成するドアとを含む電子レンジを提供する。
前記ドアは、前記調理室の開口部の縁部と接触するように構成されるフレームと、前記調理室の開口部を塞ぐ透視部材とを含み、前記透視部材は、前記調理室から前方に突出する前面板と、前記調理室の前方に形成された内部空間の上面と底面を覆うように構成される上面板及び下面板とを含み、前記調理室の底面板は、前記調理室の前方に位置する前面部と、前記調理室内に位置する後面部とを含むことが好ましい。
【００１０】
前記調理室の底面板の前面部は半円形に形成されることが好ましい。
前記調理室の底面板の前面部は半円形に形成され、前記調理室の底面板の後面部は半円形又は長方形に形成されることが好ましい。
前記調理室の底面板は前記調理室と一体的に形成されて前記調理室の底面を形成することが好ましい。
前記調理室の底面板は別の部材として作られ前記調理室の底面に付着されることが好ましい。
【００１１】
前記調理室の底面板は、前記調理室の底面板を前記調理室の底面に付着するため、前記調理室の底面板の下面の対応面に設けられたネジ孔が形成された多数のボスを含むことが好ましい。
前記調理室の底面板はアルミニウムから作られることが好ましい。
前記電子レンジは、調理物が載せられるターンテーブルと、前記ターンテーブルを回転させるため、前記ターンテーブルに連結される回転軸とをさらに含み、前記調理室の底面板は、前記ターンテーブルを収容するため、下方に凹んでいる凹部を含み、前記凹部には、前記回転軸を前記ターンテーブルに連結するための貫通孔が設けられることが好ましい。
【００１２】
前記ターンテーブルは、前記貫通孔が前記調理室の底面板の前面部と後面部間の境界線に位置するように、前記調理室の底面板の前面部に一部が位置することが好ましい。
前記透視部材の前面板は前記調理室の底面板の前面部の形態に対応するように半円筒形に形成され、前記透視部材の上面板と下面板は、ドアが閉鎖されたとき、前記調理室の底面板の前面部が前記透視部材の下面板上に位置するように、前記調理室の底面板の前面部の形態に対応する半円形の形態に形成されることが好ましい。
【００１３】
前記透視部材の上面板及び下面板は、少なくとも前記電子レンジの前方、両側方及び上方の位置から調理室の内部が透視できるように多数の透視孔を含むことが好ましい。
前記透視孔は、前記調理室の内部が効果的に透視できるように、前記透視部材の全面にわたって形成されることが好ましい。
前記フレームは前記調理室の開口部を遮らない大きさに構成されることが好ましい。
前記加熱部は前記調理室の底面板の下部に配置されるヒーターを含むことが好ましい。
【００１４】
前記電子レンジは、前記ヒーターの下部に配置され、前記ヒーターから発生した熱を上方に伝達する断熱部材をさらに含むことが好ましい。
前記ヒーターは前記断熱部材の上面に付着され、前記調理室の底面板と接触することが好ましい。
前記加熱部は前記調理室の底面板に一体的に形成されたヒーターを含むことが好ましい。
【００１５】
前記ヒーターはダイカスト加工により前記調理室の底面板に一体的に形成されることが好ましい。
前記加熱部は調理物を調理するための高周波を発生するマグネトロンを含むことが好ましい。
前記加熱部は調理物を調理するための高周波を発生するマグネトロンをさらに含み、前記ヒーターは調理物を調理するための熱を発生することが好ましい。
【００１６】
【発明の実施の形態】
以下、添付図面に基づいて本発明の好ましい実施例を詳細に説明する。
図２は本発明の一実施例を示すもので、調理室の底部に分離状態で結合される底面板５０と、前記底面板５０の下部に配置され、ヒーターを支持する断熱部材７０を分解して示す電子レンジの斜視図であり、図４は底面板５０がヒーター６０及び断熱部材７０と一緒に調理室２０の低部２２に結合された電子レンジを示す斜視図である。
【００１７】
同図に示すように、本発明による電子レンジは、高周波を発生させるためのいろいろな電気部品が設けられる電装室１０と、調理物を調理するための空間を有し、前面が開放されている調理室２０と、調理室２０の開放前面を開閉するためのドア３０とを備える。
前記電装室１０には、調理室２０に高周波を放射するマグネトロン１１と、前記マグネトロン１１を冷却させるとともに、調理室２０内の調理物から発生する水分及び匂いを電子レンジの外部へ排出させるための送風ファン１２とが設けられる。
【００１８】
調理室２０は上壁２１、底面２２、左右側壁２３、２４、及び後壁（図示せず）からなり、その前面に開口部２５が設けられるので、前面が開放される。調理室２０の前面には、前記開口部２５を開閉するため、本発明によるドア３０が回動可能に結合される。前記調理室２０の開口部２５の縁部には、ドア３０が閉じたとき、ドア３０の縁部と接触して前記開口部２５を密閉するため、平面の四角帯面２６が設けられる。
調理室２０の底面２２には、本発明による底面板５０が別の部材として結合される。この底面板５０は、調理室２０の底面２２に配置される略長方形の後面部５１と、前記後面部５１から前方に水平に延長した略半円状の前面部５２とからなる。したがって、底面板５０の前面部５２は底面板５０の後面部５１が調理室２０の底面２２に配置された状態で、調理室２０から水平に突出するので、調理室２０の前面から外部に延長されるものである。
【００１９】
前記底面板５０上には、ターンテーブル２７（図４参照）が置かれるため、下方に凹んでいる凹部５３が設けられ、この凹部５３の中心は後面部５１と前面部５２の境界地点に位置する。凹部５３の中心には、調理室２０の下部に配置されたモータ（図示せず）に連結された回転軸（図示せず）が底面板５０を貫通して延長するための貫通孔５４が形成されている。
底面板５０の背面にはネジ孔の形成された複数のボス５５が設けられる。前記底面板５０は、調理室２０の底面２２を貫通するネジ５６により、調理室２０の底面２２に固定される。
前記底面板５０はアルミニウム材から製作されるが、好ましくはアルミニウムダイカスト加工により製作される。
【００２０】
図４に示すように、このように構成された底面板５０により、調理物が載せられるターンテーブル２７の中心は調理室２０の前面に隣接して位置するため、調理室の内部奥に入れられる従来の電子レンジに比べ、調理物の出し入れをすることが非常に便利である。
図２において、ドア３０は、調理室２０の開口部２５を形成する四角帯面２６に密着して高周波の漏洩を防止するため、長方形の縁部をなすフレーム３１と、調理室２０の内部を透視して調理状態を確認し得るように、前記フレーム３１の開口部に配置される透視部材３２とを含む。
【００２１】
フレーム３１には、その縁部の内側面に沿って多数のチョーク溝３１ａが一定の間隔で形成されているので、フレーム３１が調理室２０の前面の四角帯面２６と接触すると、前記チョーク３１ａにより調理室２０からの高周波の漏洩が防止される。
透視部材３２は、前記フレーム３１の両側から前方に、つまり調理室２０の前面の外側に曲面をなしながら突出した前面板３３と、前記前面板３３の上部を覆う略半円形の上面板３４と、前記前面板３３の下部を覆う略半円形の下面板３５とからなるもので、全体として前方に略半円筒形に突出した形状を有する。
【００２２】
したがって、ドア３０が調理室２０を閉鎖すると、底面板５０の前面部５２は透視部材３２の下面板３５上に配置され、半円筒形の透視部材３２の内部が調理空間３７を形成する。
すなわち、ドア３０の透視部材３２と底面板５０の前面部５２により、調理室２０の前面から外部に突出して形成された調理空間３７が設けられるので、底面板５０の後面部５１に対応する調理室２０の内部の前後長は底面板５０の前面部５２に相当する前後長だけ縮小できる。よって、調理室２０の内部と調理空間３７により形成される調理室２０の総前後長は従来とほぼ同一に維持される。また、底面板５０の後面部５１を従来の調理室の前後長と同一にすると、本発明による調理室２０の総前後長は従来のものより大きくなって調理空間が拡張する効果を有する。
【００２３】
透視部材３２の前面板３３と上面板３４には、調理室２０が透視できるように一定大きさの透視孔が稠密に配列されているので、前記透視部材３２の前面板３３と上面板３４を通して調理室２０の内部を覗き見ることができる。すなわち、本発明による電子レンジは、調理室２０の前方だけでなく上方及び両方から調理室２０を透視することができるので、使用者は電子レンジの付近でほかの仕事をしながらも調理室２０に収納された調理物の調理状態を確認することができる。
【００２４】
一方、透視孔が形成されている透視部材３２の外面には、透明材質で作られた透明窓（図示せず）を付着することで、透視孔を通して調理室の内部が調理室の外部と連通しないようにするとともに、透視部材３２を通して調理室２０の内部を覗き見ることができるようになる。
ところが、一般に、電子レンジは調理空間内に使用者の眼高に又はそれより低い位置に配置されるため、本実施例では、透視部材３２の下面板３５には透視のための透視孔が形成されていないものにしたが、調理室２０の内部が覗き見られるように、電子レンジの設置高によって下面板３５にも透視孔が形成されたものにしてもよい。
【００２５】
また、底面板５０の下部には、グリル調理のためのヒーター６０と、このヒーター６０から発生する熱が上方にだけ伝達されるようにする断熱部材７０とが設けられる。前記断熱部材７０は底面板５０の形状に対応する形状となり、底面板５０の下部に結合され、ヒーター６０は底面板５０の背面と接触して底面板５０を加熱するように、断熱部材７０の上面に配置される。
以上のように、ヒーター６０と断熱部材７０は底面板５０の背面に結合されたままで調理室２０の底面２２に設置されるので、本発明による電子レンジは高周波調理とともにグリル調理を行うことができることになる。
【００２６】
図４に示すように、前記底面板５０上には、調理物が載せられて調理されるようにするターンテーブル２７と、前記ターンテーブル２７を回転可能に支持するための回転支持部（図示せず）とが設けられている。このターンテーブル２７は前記底面板５０の中心に形成された貫通孔５４を貫通する回転軸に連結され、モータの駆動により低速で回転しながら、その上に載せられた調理物に高周波が均等に伝達されるようにして調理物を調理することになる。
この際、底面板５０の下部に配置されたヒーター６０を作動させると、底面板５０が加熱され、調理物にヒーター熱が伝達されるので、前述した高周波調理とともにグリル調理が行えるようになる。もちろん、ヒーター６０のみを作動させてグリル調理のみを行ってもよい。
【００２７】
図３は本発明のほかの実施例を示すもので、調理室の底面に分離状態で結合され、ヒーターが挿入されている底面板５０と、前記底面板５０の下部に配置される断熱部材７０とを分解して示す電子レンジの斜視図である。同図に示すように、ヒーター６０を断熱部材７０に設置せず、底面板５０がアルミニウムダイカスト加工により成形される際に、ヒーター６０を底面板５０に挿入して底面板５０と一体的に構成することができる。このような構造によると、ヒーター６０から発生する熱が底面板５０に直接伝達されるので、熱効率がさらに向上し、ヒーター６０をより簡便に設置することができる。
本発明において、底面板５０は別の部材として調理室２０の底面２２にネジで結合されるものにしたが、その前面部５２が調理室２０から突出した底面板５０を調理室２０の底面２２に一体的に構成することもできる。
【００２８】
図５は本発明の第３実施例を示すもので、底面板の前面部と後面部共に円弧状に形成された電子レンジの斜視図である。同図に示すように、本発明の第３実施例による底面板５０ａは前面部５２だけでなく後面部５１ａも前面部５２と同様に略半円状に形成され、これに対応して調理室２０の後方も曲面に形成されるものである。
【００２９】
図６はドアが調理室を閉鎖した状態を示す本発明による電子レンジの斜視図である。同図に示すように、ドア３０が閉鎖された状態においては、調理室２０の底面２２に設けられる底面板５０の前面部５２が前方に突出してドア３０の透視部材３２の下面板３５上に位置する。よって、ドア３０の内部に調理室２０とともに調理空間３７が形成される。
このようなドア３０と底面板５０の構造により、調理室２０の前方だけでなく、上方及び両方から調理室２０の内部を容易に透視することができる。また、調理物が調理室２０の前方に突出した位置に置かれるので、調理の後、熱くなった調理物を容易に取り出すことができる。
また、このような構造により、調理中に調理物から発生する水分が透視部材３２の内面凝結する現象を効果的に防止することができる。
【００３０】
図７は電装室１０に流入した外部空気が調理室２０を通過して調理室２０の内部を流動してから調理室から排出されるものを示す、図２ないし図５に示した電子レンジの斜視図である。
同図に示すように、送風ファン１２により外部空気を電装室１０の内部に吸入し調理室２０を経て調理室２０の外部へ排出させるため、電装室１０の後壁には多数の流入孔１３が設けられ、調理室２０の右側壁２４と左側壁２３には、それぞれ吸気孔１４と排気孔１５が設けられている。
【００３１】
電装室１０の後壁に設けられた流入孔１３の前方には送風ファン１２が配置され、外部空気を吸入し、調理室２０の右側壁２４に形成された吸気孔１４は調理室２０の前面に隣接して配置され、空気がドア３０の透視部材３２側に案内されて円滑に流動できるようにする。また、調理室２０の左側壁２３に形成された排気孔１５は、右側壁２４に形成された吸気孔１４と同様に、調理室２０の前面に隣接して配置され、透視部材３２を経た空気が調理室２０の外部へ円滑に排出されるようにする。マグネトロン１１は流入孔１３と吸気孔１４との間に配置され、マグネトロン１１と吸気孔１４との間には空気案内ダクト１６が配置されるので、マグネトロン１１を通過した空気が空気案内ダクト１６を通して吸気孔１４に案内され調理室２０の内部に流入される。
【００３２】
前記のような本発明による電子レンジの空気循環構造により、吸気孔１４を通じて調理室２０に流入された空気は曲面状の透視部材３２の内面に沿って円滑に流動する。したがって、調理物から発生する水分が、透視部材３２の前面板３３と上面板３４に沿って迅速に流動する空気とともに排気孔１５を通じて外部へ排出されるので、透視部材３２の内側面に水分が凝結する現象を効果的に防止することができる。よって、調理室２０に収納された調理物を透視部材３２を通じてより明らかに透視することができる。
【００３３】
【発明の効果】
以上説明したように、本発明による電子レンジは、ドアの前面が曲面状に前方に突出し、ドアの上部面と下部面が前記曲面状の前面を覆うように略半円筒形に形成されるため、調理室の前方だけでなく両側方及び上方からも調理室の内部を透視することができ、よって、調理室内で調理される調理物の調理状態を電子レンジの外部の多数位置で迅速に確認することができる効果がある。
また、本発明による電子レンジは、略半円筒形のドアの下部面に対応して調理室の底面板と前面部が略半円筒形に調理室から延長して、調理物が調理室の前面に位置することになるので、調理物を入れるか取り出すことがたいへん便利になり、使用者が調理物を簡便に取扱うことができ、特に、調理後に熱くなった調理物を容易に取り出すことができる効果があるものである。
また、本発明による電子レンジは、調理室の底面に設置される底面板の下部にヒーターを簡便に設置することができるので、調理室の一部として一体化された底面板を有する従来の電子レンジに比べ、ヒーターを設置することが大変容易になる効果があるものである。
【図面の簡単な説明】
【図１】従来の電子レンジのドア及び調理室を示す斜視図である。
【図２】本発明の一実施例を示すもので、ヒーターと、調理室の底面に分離状態で結合される底面板と、前記底面板の下部に配置され、前記ヒーターを支持する断熱部材とを分解して示す電子レンジの斜視図である。
【図３】本発明のほかの実施例を示すもので、調理室の底面に分離状態で結合され、ヒーターが挿入される底面板と、前記底面板の下部に配置される断熱部材とを分解して示す電子レンジの斜視図である。
【図４】図２及び図３に対応するもので、底面板、ヒーター及び断熱部材が調理室の底面に設置された電子レンジの斜視図である。
【図５】本発明のさらにほかの実施例を示すもので、底面板の前面部と後面部共に曲面状に形成された電子レンジの斜視図である。
【図６】ドアが調理室を閉鎖した状態を示す、図３ないし図５に示す電子レンジの斜視図である。
【図７】電装室に流入され調理室を通過して排出される外部空気の流れを示す、本発明による電子レンジの斜視図である。
【符号の説明】
２０　調理室
２２　底面
３０　ドア
３１　フレーム
３２　透視部材
３３　前面板
３４　上面板
３５　下面板
５０、５０ａ　底面板
５１、５１ａ　後面部
５２　前面部
６０　ヒーター
７０　断熱部材
【図１】
2004077107.tif 000003
【図２】
2004077107.tif 000004
【図３】
2004077107.tif 000005
【図４】
2004077107.tif 000006
【図５】
2004077107.tif 000007
【図６】
2004077107.tif 000008
【図７】
2004077107.tif 000009